(57)【要約】      （修正有）【課題】軸振れによる振動を軽減し、更にケースの剛性を高められ固有振動数での振れを抑制でき、互いの振動が共振しても振動が抑えられる軸流型送風機を提供する。【解決手段】軸流型送風機１は、ケーシング１０と、ケーシング１０の底部に一体に形成されるベース部２１と、ベース部２１の中央部に埋設されたシャフト５１と、シャフト５１の外周に嵌合されたベアリング５２と、ベアリング５２の外輪に設けられた筒状のベアリングライナー５３と、ベアリングライナー５３に接合され、羽根車６１を備えたロータ６０と、ベース部２１中央でベアリングライナー５３の外側に立設された筒状部２３に固定されたステータ６２と、ケーシング１０のベース部２１とは反対側の面にケーシング１０外周部と連結し中央にねじ穴３２を備える架橋部３１と、を備え、架橋部３１の中央に形成されたねじ穴３２を通してシャフト５１の上端５１ａを固定する。【選択図】図１
0003189887.tif 000002
【実用新案登録請求の範囲】
【請求項１】
通電されることにより羽根車が回転する軸流型送風機であって、
外周部を形成するケーシングと、
前記ケーシングの底部に一体に形成されるベース部と、
前記ベース部の中央部に埋設されたシャフトと、
前記シャフトの外周に嵌合された２つのベアリングと、
前記２つのベアリングの外輪に設けられた筒状のベアリングライナーと、
前記ベアリングライナーに接合され、前記羽根車を備えたロータと、
前記ベース部の中央で前記ベアリングライナーの外側に立設された筒状部に固定され、巻線が巻回されたステータと、
前記ケーシングの前記ベース部とは反対側の面に前記ケーシングの外周部と連結し中央にねじ穴を備える架橋部と、を備え、
前記架橋部の中央に形成された前記ねじ穴を通して前記シャフトの上端を固定したことを特徴とする軸流型送風機。
【請求項２】
前記架橋部は、複数本のスポークと中央にねじ穴を備える平坦部によって形成されることを特徴とする請求項１に記載の軸流型送風機。
【請求項３】
前記架橋部は、平坦部と外周部をつなぐ複数本の棒状部と、複数本の棒状部を連結する複数の円環状部を備えたことを特徴とする請求項１に記載の軸流型送風機。
【請求項４】
前記ケーシングは、前記ベース部と一体になったケーシング下部と、前記架橋部と一体になったケーシング上部の２体構造であることを特徴とする請求項２又は３に記載の軸流型送風機。
【考案の詳細な説明】
【技術分野】
【０００１】
本考案は、軸流型送風機に関する。
【背景技術】
【０００２】
近年、コンピュータサーバーを冷却するのに用いられる軸流ファンモータは、高静圧が要求され、回転数を上昇させることによって対応しており、２０ｋｒｐｍを超える回転数が可能な軸流ファンモータが求められている。さらには冷却のために回転数を上げ静圧を増やせたとしてもその弊害として、振動が増えサーバー内のハードディスクが振動し、書き込みエラーが発生しないように、低振動が強く要求されてきている。
【０００３】
振動を軽減するための方法として、軸の片側をケーシングのベース部に固定し、軸の周りをスリーブが回転し、スリーブに連結された羽根車が回転する構造が知られている（例えば、特許文献１）。特許文献１の構造では、軸とスリーブの間に直接、球体（ボール）を配置することにより軸を太くすることができ、さらに軸をベースに固定してあるので、回転振れが少なく振動が軽減できるとしている。
【先行技術文献】
【特許文献】
【０００４】
【特許文献１】特開２００１−２６３２８８号公報
【考案の概要】
【考案が解決しようとする課題】
【０００５】
しかしながら、特許文献１の方法では、軸をケースの片側だけに固定しているため、固定されていない側の軸は軸振れを起こし、振動の要因となる。この軸振れの振動数とケースなどの固有振動数とが共振し合うと、振動が大幅に増幅されてしまう恐れがある。大きな振動につながる高速回転となる事で、さらに大きな振動となり、ハードディスクの書き込みエラーへと繋がっていた。
【０００６】
そこで、本考案は前記の問題点に鑑みなされたものであり、軸剛性を高める事により、軸振れによる振動を軽減し、更にケースの剛性を高められ固有振動数での振れを抑制でき、互いの振動が共振しても振動が抑えられる軸流型送風機を提供することを目的とする。
【課題を解決するための手段】
【０００７】
本考案はかかる課題を解決するもので、その構成は、通電されることにより羽根車が回転する軸流型送風機であって、外周部を形成するケーシングと、前記ケーシングの底部に一体に形成されるベース部と、前記ベース部の中央部に埋設されたシャフトと、前記シャフトの外周に嵌合された２つのベアリングと、前記２つのベアリングの外輪に設けられた筒状のベアリングライナーと、前記ベアリングライナーに接合され、前記羽根車を備えたロータと、前記ベース部の中央で前記ベアリングライナーの外側に立設された筒状部に固定され、巻線が巻回されたステータと、前記ケーシングの前記ベース部とは反対側の面に前記ケーシングの外周部と連結し中央にねじ穴を備える架橋部と、を備え、前記架橋部の中央に形成された前記ねじ穴を通して前記シャフトの上端を固定した。
【０００８】
上記構成において、前記架橋部は、複数本のスポークと中央にねじ穴を備える平坦部によって形成されている。
【０００９】
上記構成において、前記架橋部は、平坦部と外周部をつなぐ複数本の棒状部と、複数本の棒状部を連結する複数の円環状部を備えている。
上記構成において、前記ケーシングは、前記ベース部と一体になったケーシング下部と、前記架橋部と一体になったケーシング上部の２体構造である。
【考案の効果】
【００１０】
本考案によれば、軸剛性を高める事により、軸振れによる振動を軽減し、更にケースの剛性を高められ固有振動数での振れを抑制でき、互いの振動が共振しても振動が抑えることができる。
【図面の簡単な説明】
【００１１】
【図１】本考案の実施形態に係る軸流型送風機の断面図である。
【図２】本考案の実施形態に係る軸流型送風機の斜視図である。
【図３】ケーシング上部とケーシング下部をねじ止めによって連結する際の構成を示す図である。
【図４】架橋部の形状の他の例としてファンガードと併用した例を示す図である。
【考案を実施するための形態】
【００１２】
以下、図面を参照して本考案の実施形態について詳細に説明する。
図１は、本考案の実施形態に係る軸流型送風機の断面図である。図２は、本考案の実施形態に係る軸流型送風機の斜視図である。
図１及び図２に示すように、軸流型送風機１は、通電されることにより羽根車６１が回転する。ケーシング１０は、外周部を形成するものであって、ベース部２１と一体になったケーシング下部２０と、架橋部３１と一体になったケーシング上部３０の２体構造で構成されている。ケーシング１０の底部にはケーシング１０と一体に形成されるベース部２１が設けられている。
【００１３】
シャフト５１は、下端部５１ｂがベース部２１の中央部に埋設されている。シャフト５１の外周には、２つのベアリング５２の内輪が嵌合されている。２つのベアリング５２の外輪には、筒状の形状を有するベアリングライナー５３が設けられている。
ロータ６０は、羽根車６１を有し、ベアリングライナー５３には、羽根車６１と一体となったロータヨーク６３が接合されている。ロータヨーク６３内周壁にはマグネット６４が接合されている。
【００１４】
ベース部２１中央のシャフト埋設部２２の外周であって、ベアリングライナー５３の外側に立設された筒状部２３が突出しており、巻回された巻線を有するステータ６２が固定されている。
【００１５】
架橋部３１は、中央部にねじ穴３２を有し、ケーシング１０のベース部２１とは反対側の面にケーシング上部３０の外周部と連結する。この架橋部３１は、複数本のスポーク３３ａ、３３ｂ、３３ｃと中央にねじ穴３２を備える平坦部３４によって形成されている。スポークの数は限定されることはなく、また平坦部３４の形状も、使用するねじの頭の径よりも大きければ、円盤状でなくても四角や三角でもよい。要するに、中央にねじ止め用のねじ穴３２を有した架橋部３１を備え、ねじ穴３２を通してシャフト５１との固定が可能で、架橋部３１とケーシング１０とが連結できる構造であればよい。図３は、ケーシング上部とケーシング下部をねじ止めによって連結する際の構成を示す図である。ここでは、ねじ７０〜７４をねじ穴３２、７５〜７８を通して固定する例について説明しているが、固定構造は、嵌合い、溶着などの手段により連結することができる。
【００１６】
架橋部３１の中央に形成されたねじ穴３２を通してシャフト５１の上端部５１ａがねじ７０で固定されている。シャフト５１の両端５１ａ、５１ｂはケーシング１０に固定され、シャフト５１の周りをベアリングライナー５３がロータ６０とともに回転する。
ケーシング１０の吸込口Ａ側に架橋部３１を形成し、ケーシング１０のベース部２１と架橋部３１によってシャフト５１の両端５１ａ、５１ｂを固定する事により、軸剛性を高めることができ、更にシャフト５１の両端５１ａ、５１ｂをケーシングに固定し連結することにより、ケーシング１０の剛性を高めることができる。
【００１７】
また、シャフト５１の両端５１ａ、５１ｂが固定されることにより軸振れが抑制され振動が軽減する。またシャフト５１により吸込口Ａ側のケーシング上部３０と反対側の吐出側のケーシング下部２０が連結されるので、ケーシング１０自体の剛性が高まり、固有振動数での振れを抑制でき、互いに振動が共振しても振動を抑えることができる。
【００１８】
図４は、架橋部の形状の他の例としてファンガードと併用した場合の軸流型送風機８０を示す図である。図４に示すように、架橋部４１は、平坦部４２と外周部４３をつなぐ複数本の棒状部４４ａ〜４４ｄと、複数本の棒状部４４ａ〜４４ｄを連結する複数の円環状部４５を備えたており、ファンガード４０と併用できる構造としてもよい。
【００１９】
以上、本考案の好ましい実施形態について述べたが、本考案は既述の実施形態に限定されるものではなく、実用新案登録請求の範囲に記載された本考案の要旨の範囲内において、各種の変更及び変形が可能である。上記本考案の実施形態の軸流型送風機は、サーバー用の高回転型軸流ファン、家庭用のファンモータ等に適用することができる。また軸流、遠心、ブロアの方式にもとらわれずともよい。つまり本考案は振動を軽減できる方法としてのファン構造と理解すべきであり、本考案の趣旨を逸脱しない範囲で種々の変更可能であることは、言うまでもない。
【符号の説明】
【００２０】
１  軸流型送風機
１０  ケーシング
２０  ケーシング下部
２１  ベース部
２３    筒状部
３０  ケーシング上部
３１  架橋部
３２  ねじ穴
３３  スポーク
３４  平坦部
４４  棒状部
４５  円環状部
５１  シャフト
５２  ベアリング
５３  ベアリングライナー
６０  ロータ
６２  ステータ
【図１】
0003189887.tif 000003
【図２】
0003189887.tif 000004
【図３】
0003189887.tif 000005
【図４】
0003189887.tif 000006